(57)【特許請求の範囲】
【請求項１】
行方向に配列された複数の画素からなる複数の画素行が前記行方向と直交する列方向に配列された受光面を含むセンサ部と、前記複数の画素行に含まれる全ての前記画素から読み出される撮像信号が記憶される記憶部と、前記記憶部に記憶された撮像信号を出力する第一の出力端子と、前記記憶部に記憶された撮像信号を出力する第二の出力端子と、を有する撮像素子と、
複数の前記画素を露光し、当該画素から撮像信号を読み出して前記記憶部に記憶する第一の撮像制御を行う撮像制御部と、
前記第一の撮像制御によって前記記憶部に記憶された前記複数の前記画素から読み出された前記撮像信号で構成される撮像画像信号のうち、Ｎを２以上の自然数として前記複数の画素行を前記列方向にＮ個に１つずつ選択した場合の前記選択された前記画素行に含まれる前記画素から読み出された撮像信号を前記第一の出力端子から出力させる第一の出力制御と、
前記撮像画像信号を、前記受光面を前記行方向又は前記列方向の少なくとも一方に分割した場合の各分割エリアにある前記画素から読み出された撮像信号からなるＭを２以上とするＭ個のグループに分け、前記Ｍ個のグループを順次選択して、選択した前記グループの前記撮像信号を前記第二の出力端子から出力させる第二の出力制御とを行う出力制御部と、
前記第一の出力端子から出力される前記撮像信号を処理して表示用の撮像画像データを生成する第一の画像処理部と、
前記第二の出力端子から出力される前記グループの前記撮像信号を処理して当該グループに対応する分割画像データを順次生成し、前記Ｍ個のグループの各々に対応する前記分割画像データを合成して記憶用の撮像画像データを生成する第二の画像処理部と、を備える撮像装置。
【請求項２】
請求項１記載の撮像装置であって、
前記Ｍ個のグループの各々に優先度を設定する優先度設定部を更に備え、
前記出力制御部は、前記優先度が優先閾値以上となる前記グループを、前記優先度が前記優先閾値未満となる前記グループよりも先に前記第二の出力端子から出力させる撮像装置。
【請求項３】
請求項２記載の撮像装置であって、
前記第一の出力端子から出力される前記撮像信号に基づいて、撮像中の被写体の注目領域を決定する注目領域決定部を更に備え、
前記優先度設定部は、前記Ｍ個のグループのうち、前記注目領域に対応する前記分割エリアの前記画素から読み出された前記グループには前記優先閾値以上の前記優先度を設定し、その他の前記グループには前記優先閾値未満の前記優先度を設定する撮像装置。
【請求項４】
請求項３記載の撮像装置であって、
前記注目領域決定部は、前記第一の出力端子から出力される前記撮像信号から顔領域を検出する処理を行い、前記顔領域を前記注目領域として決定する撮像装置。
【請求項５】
請求項３記載の撮像装置であって、
前記撮像制御部は、前記第一の撮像制御の後に、複数の前記画素を露光し、当該画素から撮像信号を読み出して前記記憶部に記憶する第二の撮像制御を少なくとも１回行い、
前記出力制御部は、前記第一の出力制御による前記撮像信号の出力が完了した後は、前記第二の撮像制御によって前記記憶部に記憶される前記撮像信号を前記第一の出力端子から出力させる第三の出力制御を更に行い、
前記注目領域決定部は、前記第一の出力端子から連続して出力される複数の前記撮像信号に基づいて、前記被写体に含まれる動体領域を検出する処理を行い、前記動体領域を前記注目領域として決定する撮像装置。
【請求項６】
請求項２記載の撮像装置であって、
前記優先度設定部は、前記Ｍ個のグループのうち、前記受光面上に設定されている焦点を合わせる対象となる複数の合焦エリアのうちの選択された合焦エリアと重なる前記分割エリアの前記画素から読み出された前記グループには前記優先閾値以上の前記優先度を設定し、その他の前記グループには前記優先閾値未満の前記優先度を設定する撮像装置。
【請求項７】
請求項１〜６のいずれか１項記載の撮像装置であって、
前記Ｎと前記Ｍが同じ値である撮像装置。
【請求項８】
請求項１〜７のいずれか１項記載の撮像装置であって、
前記出力制御部は、前記撮像装置の内部温度が温度閾値以上になっている場合、又は、前記撮像装置のバッテリ残量が残量閾値以下になっている場合には、前記第二の出力制御を停止し、前記撮像画像信号のうちの前記第一の出力制御によって前記第一の出力端子から出力される撮像信号を除く撮像信号を、前記第二の出力端子から出力させる撮像装置。
【請求項９】
請求項８記載の撮像装置であって、
前記出力制御部は、前記第二の出力制御を停止した場合に、前記第一の出力制御によって前記第一の出力端子から出力される撮像信号を除く前記撮像信号を複数回に分けて前記第二の出力端子から出力させ、前記第二の出力端子からの当該撮像信号の出力速度を、前記第一の出力制御による前記第一の出力端子からの撮像信号の出力速度よりも低速にする撮像装置。
【請求項１０】
請求項１〜７のいずれか１項記載の撮像装置であって、
前記出力制御部は、前記撮像装置の内部温度が温度閾値以上である場合又は前記撮像装置のバッテリ残量が残量閾値以下である場合には、前記第二の出力制御で前記第二の出力端子から出力させる前記グループの出力速度を、前記内部温度が前記温度閾値未満である場合又は前記バッテリ残量が前記残量閾値を超える場合よりも低速にする撮像装置。
【請求項１１】
請求項１〜１０のいずれか１項記載の撮像装置であって、
前記選択された前記画素行には、位相差検出用画素が含まれている撮像装置。
【請求項１２】
請求項１〜１１のいずれか１項記載の撮像装置であって、
前記分割エリアは、前記受光面を前記行方向に分割した場合のものである撮像装置。
【請求項１３】
請求項１〜１１のいずれか１項記載の撮像装置であって、
前記分割エリアは、前記受光面を前記列方向に分割した場合のものである撮像装置。
【請求項１４】
行方向に配列された複数の画素からなる複数の画素行が前記行方向と直交する列方向に配列された受光面を含むセンサ部と、前記複数の画素行に含まれる全ての前記画素から読み出される撮像信号が記憶される記憶部と、前記記憶部に記憶された撮像信号を出力する第一の出力端子と、前記記憶部に記憶された撮像信号を出力する第二の出力端子と、を有する撮像素子を用いて被写体を撮像する撮像方法であって、
複数の前記画素を露光し、当該画素から撮像信号を読み出して前記記憶部に記憶する第一の撮像制御を行う撮像制御ステップと、
前記第一の撮像制御によって前記記憶部に記憶された前記複数の前記画素から読み出された前記撮像信号で構成される撮像画像信号のうち、Ｎを２以上の自然数として前記複数の画素行を前記列方向にＮ個に１つずつ選択した場合の前記選択された前記画素行に含まれる前記画素から読み出された撮像信号を前記第一の出力端子から出力させる第一の出力制御と、
前記撮像画像信号を、前記受光面を前記行方向又は前記列方向の少なくとも一方に分割した場合の各分割エリアにある前記画素から読み出された撮像信号からなるＭを２以上とするＭ個のグループに分け、前記Ｍ個のグループを順次選択して、選択した前記グループの前記撮像信号を前記第二の出力端子から出力させる第二の出力制御とを行う出力制御ステップと、
前記第一の出力端子から出力される前記撮像信号を処理して表示用の撮像画像データを生成する第一の画像処理ステップと、
前記第二の出力端子から出力される前記グループの前記撮像信号を順次処理して当該グループに対応する分割画像データを生成し、前記Ｍ個のグループの各々に対応する前記分割画像データを合成して記憶用の撮像画像データを生成する第二の画像処理ステップと、を備える撮像方法。
【請求項１５】
請求項１４記載の撮像方法であって、
前記Ｍ個のグループの各々に優先度を設定する優先度設定ステップを更に備え、
前記出力制御ステップは、前記優先度が優先閾値以上となる前記グループを、前記優先度が前記優先閾値未満となる前記グループよりも先に前記第二の出力端子から出力させる撮像方法。
【請求項１６】
請求項１５記載の撮像方法であって、
前記第一の出力端子から出力される前記撮像信号に基づいて、撮像中の被写体の注目領域を決定する注目領域決定ステップを更に備え、
前記優先度設定ステップは、前記Ｍ個のグループのうち、前記注目領域に対応する前記分割エリアの前記画素から読み出された前記グループには前記優先閾値以上の前記優先度を設定し、その他の前記グループには前記優先閾値未満の前記優先度を設定する撮像方法。
【請求項１７】
請求項１６記載の撮像方法であって、
前記注目領域決定ステップは、前記第一の出力端子から出力される前記撮像信号から顔領域を検出する処理を行い、前記顔領域を前記注目領域として決定する撮像方法。
【請求項１８】
請求項１６記載の撮像方法であって、
前記撮像制御ステップは、前記第一の撮像制御の後に、複数の前記画素を露光し、当該画素から撮像信号を読み出して前記記憶部に記憶する第二の撮像制御を少なくとも１回行い、
前記出力制御ステップは、前記第一の出力制御による前記撮像信号の出力が完了した後は、前記第二の撮像制御によって前記記憶部に記憶される前記撮像信号を前記第一の出力端子から出力させる第三の出力制御を更に行い、
前記注目領域決定ステップは、前記第一の出力端子から連続して出力される複数の前記撮像信号に基づいて、前記被写体に含まれる動体領域を検出する処理を行い、前記動体領域を前記注目領域として決定する撮像方法。
【請求項１９】
請求項１５記載の撮像方法であって、
前記優先度設定ステップは、前記Ｍ個のグループのうち、前記受光面上に設定されている焦点を合わせる対象となる複数の合焦エリアのうちの選択された合焦エリアと重なる前記分割エリアの前記画素から読み出された前記グループには前記優先閾値以上の前記優先度を設定し、その他の前記グループには前記優先閾値未満の前記優先度を設定する撮像方法。
【請求項２０】
請求項１４〜１９のいずれか１項記載の撮像方法であって、
前記Ｎと前記Ｍが同じ値である撮像方法。
【請求項２１】
請求項１４〜２０のいずれか１項記載の撮像方法であって、
前記出力制御ステップは、前記撮像素子を搭載する撮像装置の内部温度が温度閾値以上になっている場合、又は、前記撮像装置のバッテリ残量が残量閾値以下になっている場合には、前記第二の出力制御を停止し、前記撮像画像信号のうちの前記第一の出力制御によって前記第一の出力端子から出力される撮像信号を除く撮像信号を、前記第二の出力端子から出力させる撮像方法。
【請求項２２】
請求項２１記載の撮像方法であって、
前記出力制御ステップは、前記第二の出力制御を停止した場合に、前記第一の出力制御によって前記第一の出力端子から出力される撮像信号を除く前記撮像信号を複数回に分けて前記第二の出力端子から出力させ、前記第二の出力端子からの当該撮像信号の出力速度を、前記第一の出力制御による前記第一の出力端子からの撮像信号の出力速度よりも低速にする撮像方法。
【請求項２３】
請求項１４〜２０のいずれか１項記載の撮像方法であって、
前記出力制御ステップは、前記撮像素子を搭載する撮像装置の内部温度が温度閾値以上である場合又は前記撮像装置のバッテリ残量が残量閾値以下である場合には、前記第二の出力制御で前記第二の出力端子から出力させる前記グループの出力速度を、前記内部温度が前記温度閾値未満である場合又は前記バッテリ残量が前記残量閾値を超える場合よりも低速にする撮像方法。
【請求項２４】
請求項１４〜２３のいずれか１項記載の撮像方法であって、
前記選択された前記画素行には、位相差検出用画素が含まれている撮像方法。
【請求項２５】
請求項１４〜２４のいずれか１項記載の撮像方法であって、
前記分割エリアは、前記受光面を前記行方向に分割した場合のものである撮像方法。
【請求項２６】
請求項１４〜２４のいずれか１項記載の撮像方法であって、
前記分割エリアは、前記受光面を前記列方向に分割した場合のものである撮像方法。
【請求項２７】
行方向に配列された複数の画素からなる複数の画素行が前記行方向と直交する列方向に配列された受光面を含むセンサ部と、前記複数の画素行に含まれる全ての前記画素から読み出される撮像信号が記憶される記憶部と、前記記憶部に記憶された撮像信号を出力する第一の出力端子と、前記記憶部に記憶された撮像信号を出力する第二の出力端子と、を有する撮像素子を用いて被写体を撮像する撮像プログラムであって、
複数の前記画素を露光し、当該画素から撮像信号を読み出して前記記憶部に記憶する第一の撮像制御を行う撮像制御ステップと、
前記第一の撮像制御によって前記記憶部に記憶された前記複数の前記画素から読み出された前記撮像信号で構成される撮像画像信号のうち、Ｎを２以上の自然数として前記複数の画素行を前記列方向にＮ個に１つずつ選択した場合の前記選択された前記画素行に含まれる前記画素から読み出された撮像信号を前記第一の出力端子から出力させる第一の出力制御と、
前記撮像画像信号を、前記受光面を前記行方向又は前記列方向の少なくとも一方に分割した場合の各分割エリアにある前記画素から読み出された撮像信号からなるＭを２以上とするＭ個のグループに分け、前記Ｍ個のグループを順次選択して、選択した前記グループの前記撮像信号を前記第二の出力端子から出力させる第二の出力制御とを行う出力制御ステップと、
前記第一の出力端子から出力される前記撮像信号を処理して表示用の撮像画像データを生成する第一の画像処理ステップと、
前記第二の出力端子から出力される前記グループの前記撮像信号を順次処理して当該グループに対応する分割画像データを生成し、前記Ｍ個のグループの各々に対応する前記分割画像データを合成して記憶用の撮像画像データを生成する第二の画像処理ステップと、をコンピュータに実行させるための撮像プログラム。
【発明の詳細な説明】
【技術分野】
【０００１】
本発明は、撮像装置、撮像方法、及び、撮像プログラムに関する。
【背景技術】
【０００２】
近年、ＣＣＤ（Ｃｈａｒｇｅ  Ｃｏｕｐｌｅｄ  Ｄｅｖｉｃｅ）イメージセンサ、又は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の撮像素子の高解像度化に伴い、電子内視鏡、デジタルスチルカメラ、デジタルビデオカメラ、タブレット型端末、パーソナルコンピュータ、又は、スマートフォンに代表されるカメラ付きの携帯電話機等の撮像機能を有する情報機器の需要が急増している。なお、以上のような撮像機能を有する情報機器を撮像装置と称する。【０００３】
これら撮像装置は、撮像モードに設定されると、表示部においてライブビュー画像を表示することが行われる。ライブビュー画像の表示は解像度よりも速度が優先される。このため、ライブビュー画像表示用の撮像時には、撮像素子の全画素のうちの一部から信号を読み出す、間引き読み出しが行われる。【０００４】
一方、記憶用の静止画撮像時には、撮像素子の全画素から信号を読み出した後、読み出した信号を処理して、撮像画像データを生成することが行われる（特許文献１，２参照）。【０００５】
特許文献１には、全画素の信号を２つの出力端子から出力可能な撮像素子を搭載する撮像装置が記載されている。【０００６】
特許文献１に記載の撮像装置は、全画素がフィールド分割されており、第一の出力端子からは各フィールドの信号が順次出力され、この出力された全フィールドの信号に基づいて撮像画像データが生成される。【０００７】
また、第二の出力端子からは任意のフィールドの信号が出力されて、この任意のフィールドの信号に基づいてライブビュー画像表示用の画像データが生成され、この画像データに基づいてライブビュー画像が表示される。【０００８】
特許文献２には、静止画撮像によって撮像素子から出力された撮像画像信号をメモリに一時記憶し、この撮像画像信号を水平方向に分割し、分割された撮像画像信号毎に信号処理を行って撮像画像データを生成する撮像装置が記載されている。【０００９】
また、特許文献２に記載の撮像装置は、メモリに記憶した撮像画像信号をリサイズしてライブビュー画像表示用の画像データを生成し、この画像データに基づいてライブビュー画像を表示している。
【先行技術文献】
【特許文献】
【００１０】
【特許文献１】日本国特開２０１２−１５１５９６号公報
【特許文献２】日本国特開２００６−００５５９６号公報
【発明の概要】
【発明が解決しようとする課題】
【００１１】
特許文献１に記載の撮像装置によれば、撮像画像データを生成している間に、この撮像画像データの確認用のポストビュー画像の表示と、撮像素子によって撮像されているライブビュー画像の表示とを行うことが可能である。【００１２】
しかし、特許文献１に記載の撮像装置は、撮像画像データを生成するためには、撮像素子から全画素の信号が出力されるのを待つ必要があり、撮像が行われてから撮像画像データの生成が完了するまでの時間が長くなる。【００１３】
同様に、特許文献２に記載の撮像装置は、撮像画像データを生成するためには、撮像素子から全画素の信号が出力されるのを待つ必要があり、撮像が行われてから撮像画像データの生成が完了するまでの時間が長くなる。【００１４】
また、特許文献２に記載の撮像装置は、撮像画像データの生成中にはポストビュー画像又はライブビュー画像を表示することができない。【００１５】
本発明は、上記事情に鑑みてなされたものであり、記憶用の撮像が行われてから記憶用の撮像画像データの生成が完了するまでの時間を短縮し、かつ、この記憶用の撮像画像データの確認を撮像後に素早く行うことのできる撮像装置、撮像方法、及び、撮像プログラムを提供することを目的とする。
【課題を解決するための手段】
【００１６】
本発明の撮像装置は、行方向に配列された複数の画素からなる複数の画素行が上記行方向と直交する列方向に配列された受光面を含むセンサ部と、上記複数の画素行に含まれる全ての上記画素から読み出される撮像信号が記憶される記憶部と、上記記憶部に記憶された撮像信号を出力する第一の出力端子と、上記記憶部に記憶された撮像信号を出力する第二の出力端子と、を有する撮像素子と、上記全ての上記画素を露光し、その画素から撮像信号を読み出して上記記憶部に記憶する第一の撮像制御を行う撮像制御部と、上記第一の撮像制御によって上記記憶部に記憶された上記全ての上記画素から読み出された上記撮像信号で構成される撮像画像信号のうち、Ｎを２以上の自然数として上記複数の画素行を上記列方向にＮ個に１つずつ選択した場合の上記選択された上記画素行に含まれる上記画素から読み出された撮像信号を上記第一の出力端子から出力させる第一の出力制御と、上記撮像画像信号を、上記受光面を上記行方向又は上記列方向の少なくとも一方に分割した場合の各分割エリアにある上記画素から読み出された撮像信号からなるＭを２以上とするＭ個のグループに分け、上記Ｍ個のグループを順次選択して、選択した上記グループの上記撮像信号を上記第二の出力端子から出力させる第二の出力制御とを行う出力制御部と、上記第一の出力端子から出力される上記撮像信号を処理して表示用の撮像画像データを生成する第一の画像処理部と、上記第二の出力端子から出力される上記グループの上記撮像信号を処理してそのグループに対応する分割画像データを順次生成し、上記Ｍ個のグループの各々に対応する上記分割画像データを合成して記憶用の撮像画像データを生成する第二の画像処理部と、を備えるものである。【００１７】
本発明の撮像方法は、行方向に配列された複数の画素からなる複数の画素行が上記行方向と直交する列方向に配列された受光面を含むセンサ部と、上記複数の画素行に含まれる全ての上記画素から読み出される撮像信号が記憶される記憶部と、上記記憶部に記憶された撮像信号を出力する第一の出力端子と、上記記憶部に記憶された撮像信号を出力する第二の出力端子と、を有する撮像素子を用いて被写体を撮像する撮像方法であって、上記全ての上記画素を露光し、その画素から撮像信号を読み出して上記記憶部に記憶する第一の撮像制御を行う撮像制御ステップと、上記第一の撮像制御によって上記記憶部に記憶された上記全ての上記画素から読み出された上記撮像信号で構成される撮像画像信号のうち、Ｎを２以上の自然数として上記複数の画素行を上記列方向にＮ個に１つずつ選択した場合の上記選択された上記画素行に含まれる上記画素から読み出された撮像信号を上記第一の出力端子から出力させる第一の出力制御と、上記撮像画像信号を、上記受光面を上記行方向又は上記列方向の少なくとも一方に分割した場合の各分割エリアにある上記画素から読み出された撮像信号からなるＭを２以上とするＭ個のグループに分け、上記Ｍ個のグループを順次選択して、選択した上記グループの上記撮像信号を上記第二の出力端子から出力させる第二の出力制御とを行う出力制御ステップと、上記第一の出力端子から出力される上記撮像信号を処理して表示用の撮像画像データを生成する第一の画像処理ステップと、上記第二の出力端子から出力される上記グループの上記撮像信号を順次処理してそのグループに対応する分割画像データを生成し、上記Ｍ個のグループの各々に対応する上記分割画像データを合成して記憶用の撮像画像データを生成する第二の画像処理ステップと、を備えるものである。【００１８】
本発明の撮像プログラムは、行方向に配列された複数の画素からなる複数の画素行が上記行方向と直交する列方向に配列された受光面を含むセンサ部と、上記複数の画素行に含まれる全ての上記画素から読み出される撮像信号が記憶される記憶部と、上記記憶部に記憶された撮像信号を出力する第一の出力端子と、上記記憶部に記憶された撮像信号を出力する第二の出力端子と、を有する撮像素子を用いて被写体を撮像する撮像プログラムであって、上記全ての上記画素を露光し、その画素から撮像信号を読み出して上記記憶部に記憶する第一の撮像制御を行う撮像制御ステップと、上記第一の撮像制御によって上記記憶部に記憶された上記全ての上記画素から読み出された上記撮像信号で構成される撮像画像信号のうち、Ｎを２以上の自然数として上記複数の画素行を上記列方向にＮ個に１つずつ選択した場合の上記選択された上記画素行に含まれる上記画素から読み出された撮像信号を上記第一の出力端子から出力させる第一の出力制御と、上記撮像画像信号を、上記受光面を上記行方向又は上記列方向の少なくとも一方に分割した場合の各分割エリアにある上記画素から読み出された撮像信号からなるＭを２以上とするＭ個のグループに分け、上記Ｍ個のグループを順次選択して、選択した上記グループの上記撮像信号を上記第二の出力端子から出力させる第二の出力制御とを行う出力制御ステップと、上記第一の出力端子から出力される上記撮像信号を処理して表示用の撮像画像データを生成する第一の画像処理ステップと、上記第二の出力端子から出力される上記グループの上記撮像信号を順次処理してそのグループに対応する分割画像データを生成し、上記Ｍ個のグループの各々に対応する上記分割画像データを合成して記憶用の撮像画像データを生成する第二の画像処理ステップと、をコンピュータに実行させるためのものである。
【発明の効果】
【００１９】
本発明によれば、記憶用の撮像が行われてから記憶用の撮像画像データの生成が完了するまでの時間を短縮し、かつ、この記憶用の撮像画像データの確認を撮像後に素早く行うことのできる撮像装置、撮像方法、及び、撮像プログラムを提供することができる。
【図面の簡単な説明】
【００２０】
【図１】本発明の一実施形態である撮像装置としてのデジタルカメラ１００の概略構成を示す図である。
【図２】図１に示すデジタルカメラ１００に搭載される撮像素子５の概略構成を示す模式図である。
【図３】図２に示す撮像素子５のセンサ部５１の構成を示す平面模式図である。
【図４】図１に示すシステム制御部１１の機能ブロックを示す図である。
【図５】センサ部５１の受光面６０を行方向Ｘに均等に４分割した構成を示す模式図である。
【図６】図１のデジタルカメラ１００のデジタル信号処理部１７の機能ブロックを示す図である。
【図７】図１に示すデジタルカメラ１００の連写モード時の動作を模式的に示すタイミングチャートである。
【図８】図１に示したデジタルカメラ１００のシステム制御部１１の機能ブロックの変形例を示す図である。
【図９】注目領域の配置の一例を示す図である。
【図１０】図１に示すデジタルカメラ１００の連写モード時の変形例の動作を説明するためのフローチャートである。
【図１１】図１に示すデジタルカメラ１００の連写モード時の変形例の動作を模式的に示すタイミングチャートである。
【図１２】図１に示したデジタルカメラ１００の変形例であるデジタルカメラ１００Ａの概略構成を示す図である。
【図１３】図１２に示すデジタルカメラ１００Ａの転送モードの設定動作を説明するためのフローチャートである。
【図１４】図１２に示すデジタルカメラ１００Ａの連写モードかつフィールド転送モードに設定された場合の動作を模式的に示すタイミングチャートである。
【図１５】図１２に示すデジタルカメラ１００Ａの動作の変形例を説明するためのフローチャートである。
【図１６】センサ部５１の受光面６０の分割例を示す模式図である。
【図１７】センサ部５１の受光面６０の別の分割例を示す模式図である。
【図１８】本発明の撮影装置の一実施形態であるスマートフォン２００の外観を示すものである。
【図１９】図１８に示すスマートフォン２００の構成を示すブロック図である。
【発明を実施するための形態】
【００２１】
以下、本発明の実施形態について図面を参照して説明する。
【００２２】
図１は、本発明の一実施形態である撮像装置としてのデジタルカメラ１００の概略構成を示す図である。
【００２３】
図１に示すデジタルカメラ１００は、撮像レンズ１と、絞り２と、レンズ制御部４と、レンズ駆動部８と、絞り駆動部９と、を有するレンズ装置４０を備える。
【００２４】
本実施形態において、レンズ装置４０はデジタルカメラ１００の本体に着脱可能なものとして説明するが、デジタルカメラ１００の本体と一体化されたものであってもよい。
【００２５】
撮像レンズ１と絞り２は撮像光学系を構成し、撮像光学系はフォーカスレンズを含む。
【００２６】
このフォーカスレンズは、撮像光学系の焦点を調節するためのレンズであり、単一のレンズ又は複数のレンズで構成される。フォーカスレンズが撮像光学系の光軸方向に移動することで焦点調節が行われる。
【００２７】
なお、フォーカスレンズとしては、レンズの曲面を可変制御して焦点位置を変えることのできる液体レンズを用いてもよい。
【００２８】
レンズ装置４０のレンズ制御部４は、デジタルカメラ１００の本体のシステム制御部１１と有線又は無線によって通信可能に構成される。
【００２９】
レンズ制御部４は、システム制御部１１からの指令にしたがい、レンズ駆動部８を介して撮像レンズ１に含まれるフォーカスレンズを駆動したり、絞り駆動部９を介して絞り２を駆動したりする。
【００３０】
デジタルカメラ１００の本体は、撮像光学系を通して被写体を撮像するＣＭＯＳイメージセンサ等のＭＯＳ型の撮像素子５と、撮像素子５を駆動するセンサ駆動部１０と、デジタルカメラ１００の電気制御系全体を統括制御するシステム制御部１１と、操作部１４と、デジタル信号処理部１７と、着脱自在の記憶媒体２１が接続される外部メモリ制御部２０と、有機ＥＬ（Ｅｌｅｃｔｒｏ  Ｌｕｍｉｎｅｓｃｅｎｃｅ）ディスプレイ又はＬＣＤ（Ｌｉｑｕｉｄ  Ｃｒｙｓｔａｌ  Ｄｉｓｐｌａｙ）等の表示部２３と、表示部２３を駆動する表示ドライバ２２と、を備える。
【００３１】
システム制御部１１は、各種のプロセッサとＲＡＭ（Ｒａｍｄｏｍ  Ａｃｃｅｓｓ  Ｍｅｍｏｒｙ）とＲＯＭ（Ｒｅａｄ  Ｏｎｌｙ  Ｍｅｍｏｒｙ）と含んで構成され、デジタルカメラ１００全体を統括制御する。
【００３２】
システム制御部１１は、内蔵のＲＯＭに格納された撮像プログラムを含むプログラムをプロセッサが実行することで、後述する各機能を実現する。
【００３３】
デジタル信号処理部１７は、各種のプロセッサとＲＡＭとＲＯＭを含み、このＲＯＭに格納された撮像プログラムを含むプログラムをこのプロセッサが実行することで各種処理を行う。
【００３４】
各種のプロセッサとしては、プログラムを実行して各種処理を行う汎用的なプロセッサであるＣＰＵ（Ｃｅｎｔｒａｌ  Ｐｒｏｓｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ：ＰＬＤ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。
【００３５】
これら各種のプロセッサの構造は、より具体的には、半導体素子等の回路素子を組み合わせた電気回路である。
【００３６】
システム制御部１１のプロセッサとデジタル信号処理部１７のプロセッサは、それぞれ、各種のプロセッサのうちの１つで構成されてもよいし、同種又は異種の２つ以上のプロセッサの組み合わせ（例えば、複数のＦＰＧＡの組み合わせ又はＣＰＵとＦＰＧＡの組み合わせ）で構成されてもよい。
【００３７】
デジタル信号処理部１７、外部メモリ制御部２０、及び、表示ドライバ２２は、制御バス２４及びデータバス２５によって相互に接続され、システム制御部１１からの指令に基づいて動作する。
【００３８】
図２は、図１に示すデジタルカメラ１００に搭載される撮像素子５の概略構成を示す模式図である。
【００３９】
撮像素子５は、センサ部５１と、記憶部５２と、を備える。
【００４０】
センサ部５１は、複数の画素によって被写体を撮像し、この撮像によって各画素から読み出された撮像信号を出力する。センサ部５１はセンサ駆動部１０によって駆動される。
【００４１】
記憶部５２は、センサ部５１から出力された撮像信号を記憶するものであり、データを記憶するためのコンデンサ又はフリップフロップ等の多数の記憶素子と、この多数の記憶素子のデータの記憶及び読み出しを制御する図示省略の制御回路とを含む。この制御回路は、システム制御部１１によって制御される。
【００４２】
記憶部５２は、書き換え可能な記憶素子を含むものであれば何でも良く、半導体メモリ又は強誘電体メモリ等を用いることができる。
【００４３】
記憶部５２には、例えば、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＦＲＡＭ（Ｆｅｒｒｏｅｌｅｃｔｒｉｃ  Ｒａｎｄｏｍ  Ａｃｃｅｓｓ  Ｍｅｍｏｒｙ）(登録商標）、又は、フラッシュメモリ等を用いることができる。
【００４４】
記憶部５２には、記憶された撮像信号をデータバス２５に出力する第一の出力端子ＣＨ０及び第二の出力端子ＣＨ１が設けられている。
【００４５】
撮像素子５は、図示省略のＳＬＶＳ（Ｓｃａｌａｂｌｅ  Ｌｏｗ  Ｖｏｌｔａｇｅ  Ｓｉｇｎａｌｉｎｇ）等の規格に準拠するインタフェースを含む。記憶部５２に記憶された撮像信号は、このインタフェースによって、第一の出力端子ＣＨ０又は第二の出力端子ＣＨ１からデータバス２５に出力される。
【００４６】
図３は、図２に示す撮像素子５のセンサ部５１の構成を示す平面模式図である。
【００４７】
センサ部５１は、一方向である行方向Ｘに配列された複数の画素６１からなる画素行６２が、行方向Ｘと直交する列方向Ｙに複数配列された受光面６０と、受光面６０に配列された画素６１を駆動する駆動回路６３と、受光面６０に配列された画素行６２の各画素６１から読み出される撮像信号を処理する信号処理回路６４と、を備える。
【００４８】
以下では、図３において受光面６０の列方向Ｙの上方向の端部を上端といい、受光面６０の列方向Ｙの下方向の端部を下端という。
【００４９】
画素６１は、レンズ装置４０の撮像光学系を通った光を受光し受光量に応じた電荷を発生して蓄積する光電変換部と、この光電変換部に蓄積された電荷を電圧信号に変換して信号線に読み出す読み出し回路と、を含む。読み出し回路は、周知の構成を採用可能である。
【００５０】
読み出し回路は、例えば、光電変換部に蓄積された電荷をフローティングディフュージョンに転送するための転送トランジスタと、フローティングディフュージョンの電位をリセットするためのリセットトランジスタと、フローティングディフュージョンの電位に応じた電圧信号を出力する出力トランジスタと、出力トランジスタから出力される電圧信号を選択的に信号線に読み出すための選択トランジスタと、を含む。なお、読み出し回路は、複数の光電変換部で共用される場合もある。
【００５１】
受光面６０に配列された全ての画素行６２のうち、ｎを０以上の整数として受光面６０の上端側から数えて（４ｎ＋１）番目にある画素行６２が配置される受光面６０の領域をフィールドＦ１という。
【００５２】
受光面６０に配列された全ての画素行６２のうち受光面６０の上端側から数えて（４ｎ＋２）番目にある画素行６２が配置される受光面６０の領域をフィールドＦ２という。
【００５３】
受光面６０に配列された全ての画素行６２のうち受光面６０の上端側から数えて（４ｎ＋３）番目にある画素行６２が配置される受光面６０の領域をフィールドＦ３という。
【００５４】
受光面６０に配列された全ての画素行６２のうち受光面６０の上端側から数えて（４ｎ＋４）番目にある画素行６２が配置される受光面６０の領域をフィールドＦ４という。
【００５５】
フィールドＦ１〜フィールドＦ４のいずれか（以下ではフィールドＦ１とする）にある画素行６２を構成する画素６１には、位相差検出用画素が含まれている。
【００５６】
位相差検出用画素は、レンズ装置４０の撮像光学系の瞳領域の行方向Ｘに並ぶ異なる２つの部分を通過した一対の光束に基づく２つの像の位相差を検出するための画素である。
【００５７】
位相差検出用画素には、上記の一対の光束の一方を受光し受光量に応じた電荷を蓄積する第一の光電変換部を含む第一画素と、上記の一対の光束の他方を受光し受光量に応じた電荷を蓄積する第二の光電変換部を含む第二画素とがある。
【００５８】
フィールドＦ１には、この第一画素と第二画素のペアが複数配置されており、このペアから読み出される信号に基づいて位相差の算出が可能となっている。
【００５９】
なお、位相差検出用画素は、第一の光電変換部と第二の光電変換部の両方を含む画素で構成される場合もある。
【００６０】
駆動回路６３は、各画素６１の光電変換部に接続される読み出し回路を画素行６２単位で駆動して、画素行６２毎に、この画素行６２に含まれる各光電変換部のリセット、この各光電変換部に蓄積された電荷に応じた電圧信号の信号線への読み出し等を行う。
【００６１】
信号処理回路６４は、画素行６２の各画素６１から信号線に読み出された電圧信号に対し相関二重サンプリング処理を行い、相関二重サンプリング処理後の電圧信号をデジタル信号に変換して記憶部５２に出力する。
【００６２】
任意の画素６１から信号線に読み出されて信号処理回路６４で処理されて得られたデジタル信号は、この任意の画素６１から読み出された撮像信号となる。
【００６３】
図４は、図１に示すシステム制御部１１の機能ブロックを示す図である。
【００６４】
システム制御部１１は、プロセッサが上記の撮像プログラムを含むプログラムを実行することで撮像制御部１１Ａ及び出力制御部１１Ｂとして機能する。
【００６５】
撮像制御部１１Ａは、静止画記憶用の撮像制御（第一の撮像制御）と、ライブビュー用の撮像制御（第二の撮像制御）とを行う。
【００６６】
静止画記憶用の撮像制御とライブビュー用の撮像制御は、それぞれ、受光面６０に形成された全ての画素６１を露光し、この露光によって各画素６１の光電変換部に蓄積された電荷に応じた撮像信号を読み出して記憶部５２に記憶する制御である。
【００６７】
出力制御部１１Ｂは、第一の出力制御と、第二の出力制御と、第三の出力制御と、を行う。
【００６８】
第一の出力制御は、静止画記憶用の撮像制御によって記憶部５２に記憶された全ての画素６１から読み出された撮像信号で構成される撮像画像信号のうち、センサ部５１の受光面６０において全ての画素行６２を列方向ＹにＮ個（Ｎは２以上の自然数）に１つずつ選択した場合の選択された画素行６２に含まれる画素６１から読み出された撮像信号を、第一の出力端子ＣＨ０から出力させる制御である。
【００６９】
以下では、Ｎ＝４として説明し、第一の出力制御が行われると、フィールドＦ１にある画素６１から読み出されて記憶部５２に記憶された撮像信号が第一の出力端子ＣＨ０から出力される。
【００７０】
第二の出力制御は、静止画記憶用の撮像制御によって記憶部５２に記憶された撮像画像信号を、センサ部５１の受光面６０を行方向Ｘに分割した場合の各分割エリアにある画素６１から読み出された撮像信号からなるＭ個（Ｍは２以上の自然数）のグループに分け、このＭ個のグループを順次選択して、選択したグループの撮像信号を第二の出力端子ＣＨ１から出力させる制御である。
【００７１】
以下ではＭ＝４として説明し、第二の出力制御が行われると、４個のグループの撮像信号が第二の出力端子ＣＨ１から順次出力される。
【００７２】
撮像制御部１１Ａは、静止画記憶用の撮像制御を行った後に、ライブビュー用の撮像制御を少なくとも１回行う。第三の出力制御は、第一の出力制御による撮像信号の出力が完了した後に、ライブビュー用の撮像制御によって記憶部５２に記憶された撮像信号のうちのフィールドＦ１にある画素６１から読み出された撮像信号を第一の出力端子ＣＨ０から出力させる制御である。
【００７３】
図５は、センサ部５１の受光面６０を行方向Ｘに均等に４分割した構成を示す模式図である。
【００７４】
図５中の左端から数えて１番目にある分割エリアにある画素６１から読み出される撮像信号からなるグループが、以下ではグループＡとされる。
【００７５】
図５中の左端から数えて２番目にある分割エリアにある画素６１から読み出される撮像信号からなるグループが、以下ではグループＢとされる。
【００７６】
図５中の左端から数えて３番目にある分割エリアにある画素６１から読み出される撮像信号からなるグループが、以下ではグループＣとされる。
【００７７】
図５中の左端から数えて４番目にある分割エリアにある画素６１から読み出される撮像信号からなるグループが、以下ではグループＤとされる。
【００７８】
図６は、図１のデジタルカメラ１００のデジタル信号処理部１７の機能ブロックを示す図である。
【００７９】
デジタル信号処理部１７は、プロセッサが上記の撮像プログラムを含むプログラムを実行することで第一の画像処理部１７Ａ及び第二の画像処理部１７Ｂとして機能する。
【００８０】
第一の画像処理部１７Ａは、第一の出力制御及び第三の出力制御によって第一の出力端子ＣＨ０から出力される撮像信号（以下、フィールドデータともいう）を処理して表示用の撮像画像データを生成する。
【００８１】
第二の画像処理部１７Ｂは、第二の出力制御によって第二の出力端子ＣＨ１から出力される各グループの撮像信号を処理してこのグループに対応する分割画像データを生成し、Ｍ個のグループの各々に対応する分割画像データを合成して記憶用の撮像画像データを生成する。
【００８２】
図７は、図１に示すデジタルカメラ１００の連写モード時の動作を模式的に示すタイミングチャートである。
【００８３】
連写モードとは、記憶媒体２１に記憶する撮像画像データを生成するための静止画撮像を複数回連続して行う撮像モードである。
【００８４】
具体的には、連写モードでは、ユーザの撮像指示に応じて、システム制御部１１により静止画記憶用の撮像制御が複数回行われ、この複数の静止画記憶用の撮像制御同士の間において、ライブビュー用の撮像制御が複数回行われる。
【００８５】
図７において横軸は時間を示している。図７の１段目には、垂直同期信号ＶＤが示されている。
【００８６】
図７の２段目には、撮像素子５の受光面６０にある各画素行６２の駆動タイミングが示されている。図７の２段目において、縦軸は画素行６２の列方向Ｙの位置を示している。
【００８７】
直線ＲＳは、画素行６２に含まれる各画素行６２において画素６１の光電変換部のリセットが行われるタイミングを示している。直線ＲＯは、各画素行６２において画素６１の光電変換部から撮像信号の読み出しが行われて記憶部５２に記憶されるタイミングを示している。
【００８８】
直線ＲＳと直線ＲＯとで挟まれる期間Ｐが、静止画記憶用の撮像制御が行われる期間を示している。また、直線ＲＳと直線ＲＯとで挟まれる期間Ｌが、ライブビュー用の撮像制御が行われる期間を示している。
【００８９】
図７の３段目において、“撮像素子出力  ＣＨ０”の横には、記憶部５２の第一の出力端子ＣＨ０からの撮像信号の出力状態が示されている。
【００９０】
直線Ｐｆ１は、期間Ｐの静止画記憶用の撮像制御によって記憶部５２に記憶された撮像画像信号のうちのフィールドＦ１から読み出された撮像信号（フィールドデータ）が第一の出力端子ＣＨ０からデータバス２５に出力される状態を示している。
【００９１】
直線Ｌｆ１は、期間Ｌのライブビュー用の撮像制御によって記憶部５２に記憶されたフィールドＦ１から読み出された撮像信号（フィールドデータ）が第一の出力端子ＣＨ０からデータバス２５に出力される状態を示している。
【００９２】
図７の４段目において、“表示画像処理”の横には、表示部２３の描画状態が示されている。図７の４段目において、縦軸は表示部２３の表示画素行の位置を示しており、各直線はフィールドデータに基づいて表示部２３の表示画素行に描画が行われるタイミングを示している。
【００９３】
図７の５段目において、“ＡＦ演算処理”の横には、システム制御部１１で行われるＡＦ（Ａｕｔｏ  Ｆｏｃｕｓ）用の演算処理のタイミングが示されている。
【００９４】
ＡＦ用の演算処理は、具体的には、フィールドデータに含まれる位相差検出用画素から読み出された撮像信号に基づいて位相差を算出する処理と、この位相差に基づいてデフォーカス量を算出する処理とを含む。
【００９５】
図７の６段目において、“フォーカス駆動”の横には、フォーカスレンズの駆動が行われる期間が示されている。
【００９６】
図７の７段目において、“撮像素子出力  ＣＨ１”の横には、撮像素子５の記憶部５２の第二の出力端子ＣＨ１からの撮像信号の出力状態が示されている。
【００９７】
直線ＧＡは、期間Ｐの静止画記憶用の撮像制御によって記憶部５２に記憶された撮像画像信号のうちのグループＡの撮像信号が、第二の出力端子ＣＨ１からデータバス２５に出力される状態を示している。
【００９８】
直線ＧＢは、期間Ｐの静止画記憶用の撮像制御によって記憶部５２に記憶された撮像画像信号のうちのグループＢの撮像信号が、第二の出力端子ＣＨ１からデータバス２５に出力される状態を示している。
【００９９】
直線ＧＣは、期間Ｐの静止画記憶用の撮像制御によって記憶部５２に記憶された撮像画像信号のうちのグループＣの撮像信号が、第二の出力端子ＣＨ１からデータバス２５に出力される状態を示している。
【０１００】
直線ＧＤは、期間Ｐの静止画記憶用の撮像制御によって記憶部５２に記憶された撮像画像信号のうちのグループＤの撮像信号が、第二の出力端子ＣＨ１からデータバス２５に出力される状態を示している。
【０１０１】
図７の８段目において、“記憶画像処理”の横には、デジタル信号処理部１７で行われる撮像画像データの生成状況が示されている。
【０１０２】
撮像指示が行われると、システム制御部１１は、静止画記憶用の撮像制御を行う。この撮像制御によって画素６１から読み出された撮像信号の記憶部５２への記憶が開始して少し経過すると、システム制御部１１は、静止画記憶用の撮像制御によって記憶部５２に記憶されたフィールドＦ１にある画素６１から読みだされた撮像信号を第一の出力端子ＣＨ０からデータバス２５に順次出力させる第一の出力制御を行う（図７の直線Ｐｆ１）。
【０１０３】
デジタル信号処理部１７は、直線Ｐｆ１でデータバス２５に順次出力される撮像信号を処理して表示用画像データを生成し、これを表示ドライバ２２に送信する。表示ドライバ２２は、受信した表示用画像データに基づくポストビュー画像を表示部２３に表示させる。
【０１０４】
システム制御部１１は、直線Ｐｆ１によってフィールドデータの出力が完了すると、このフィールドデータに含まれる位相差検出用画素から読み出された撮像信号に基づいて位相差を算出する（図中の“ＡＦ演算”）。
【０１０５】
静止画記憶用の撮像制御が終了すると、システム制御部１１は、この静止画記憶用の撮像制御によって記憶部５２に記憶された撮像画像信号のうち、グループＡの撮像信号を第二の出力端子ＣＨ１からデータバス２５に出力させる第二の出力制御を行う（図７の直線ＧＡ）。
【０１０６】
デジタル信号処理部１７は、直線ＧＡでデータバス２５に出力された撮像信号を処理して分割画像データｇａを生成する。
【０１０７】
直線ＧＡによる第二の出力端子ＣＨ１からの撮像信号の出力が完了すると、システム制御部１１は、静止画記憶用の撮像制御によって記憶部５２に記憶された撮像画像信号のうち、グループＢの撮像信号を第二の出力端子ＣＨ１からデータバス２５に出力させる第二の出力制御を行う（図７の直線ＧＢ）。
【０１０８】
デジタル信号処理部１７は、直線ＧＢでデータバス２５に出力された撮像信号を処理して分割画像データｇｂを生成する。
【０１０９】
直線ＧＢによる第二の出力端子ＣＨ１からの撮像信号の出力が完了すると、システム制御部１１は、静止画記憶用の撮像制御によって記憶部５２に記憶された撮像画像信号のうち、グループＣの撮像信号を第二の出力端子ＣＨ１からデータバス２５に出力させる第二の出力制御を行う（図７の直線ＧＣ）。
【０１１０】
デジタル信号処理部１７は、直線ＧＣでデータバス２５に出力された撮像信号を処理して分割画像データｇｃを生成する。
【０１１１】
直線ＧＣによる第二の出力端子ＣＨ１からの撮像信号の出力が完了すると、システム制御部１１は、静止画記憶用の撮像制御によって記憶部５２に記憶された撮像画像信号のうち、グループＤの撮像信号を第二の出力端子ＣＨ１からデータバス２５に出力させる第二の出力制御を行う（図７の直線ＧＤ）。
【０１１２】
デジタル信号処理部１７は、直線ＧＤでデータバス２５に出力された撮像信号を処理して分割画像データｇｄを生成する。
【０１１３】
そして、デジタル信号処理部１７は、グループＡ〜Ｄの各々に対応する分割画像データｇａ〜ｇｄを合成して記憶用の撮像画像データを生成し、外部メモリ制御部２０を介して記憶媒体２１に記憶する。
【０１１４】
なお、分割画像データｇａと分割画像データｇｂ、分割画像データｇｂと分割画像データｇｃ、分割画像データｇｃと分割画像データｇｄの境界付近を信号処理することを考慮すると、デジタル信号処理部１７は、データバス２５に出力されたグループＡ〜Ｄの行方向Ｘの幅よりも狭い幅を信号処理範囲としてグループＡ〜Ｄに信号処理を行って分割画像データｇａ〜ｇｄを生成することが好ましい。このような処理を行うことで、処理効率を向上せることができる。
【０１１５】
システム制御部１１は、静止画記憶用の撮像制御を行った後、ライブビュー用の撮像制御を図７の例では３回続けて行う。
【０１１６】
この３回の各撮像制御によってセンサ部５１から読み出される撮像信号は、記憶部５２に上書き記憶される。そして、システム制御部１１は、ライブビュー用の撮像制御によって記憶部５２に記憶されたフィールドＦ１にある画素６１から読みだされた撮像信号を第一の出力端子ＣＨ０からデータバス２５に出力させる第三の出力制御を行う（図７の直線Ｌｆ１）。
【０１１７】
デジタル信号処理部１７は、直線Ｌｆ１でデータバス２５に出力される撮像信号を処理して表示用画像データを生成し、これを表示ドライバ２２に送信する。表示ドライバ２２は、受信した表示用画像データに基づくライブビュー画像を表示部２３に表示させる。
【０１１８】
システム制御部１１は、直線Ｌｆ１によるフィールドデータの出力が完了すると、このフィールドデータに含まれる位相差検出用画素から読み出された撮像信号に基づいて位相差を算出するＡＦ演算処理を行う。
【０１１９】
システム制御部１１は、例えば、図７の垂直同期信号ＶＤの２つ目の立下りタイミングと、図７の垂直同期信号ＶＤの３つ目の立下りタイミングと、図７の垂直同期信号ＶＤの４つ目の立下りタイミングとで算出された位相差に基づいてデフォーカス量を算出し、このデフォーカス量に基づいてフォーカスレンズを駆動して合焦制御を行う。システム制御部１１は、位相差が算出される毎に、この位相差に基づいてフォーカスレンズを駆動して合焦制御を行ってもよい。
【０１２０】
３回目のライブビュー用の撮像制御が行われた後、システム制御部１１は、２枚目の静止画撮像のために、静止画記憶用の撮像制御を行う。以上の処理が連写枚数に応じて繰り返し行われる。
【０１２１】
以上のように、図１のデジタルカメラ１００によれば、静止画記憶用の撮像制御によって記憶部５２に記憶された撮像画像信号のうち、フィールドＦ１にある画素から読み出された撮像信号が第一の出力端子ＣＨ０からデジタル信号処理部１７に転送されるため、ポストビュー画像の表示を高速に行うことができる。
【０１２２】
また、第一の出力端子ＣＨ０から出力される撮像信号は、位相差検出用画素から読み出された撮像信号を含むため、この撮像信号に基づいて合焦制御を行うことができ、被写体に追従した合焦制御が可能となる。
【０１２３】
また、静止画記憶用の撮像制御によって記憶部５２に記憶された撮像画像信号はグループ単位で第二の出力端子ＣＨ１からデジタル信号処理部１７に転送される。
【０１２４】
このため、デジタル信号処理部１７では、撮像画像信号が全て揃うのを待つことなく画像データの生成を開始することができる。したがって、静止画記憶用の撮像制御が開始されてから撮像画像データの生成が完了するまでの時間を短縮することができる。
【０１２５】
デジタルカメラ１００では、静止画記憶用の撮像制御とその次に行う静止画記憶用の撮像制御との間においてライブビュー用の撮像制御を行っているが、このライブビュー用の撮像制御は必須ではない。ライブビュー用の撮像制御が行われることで、撮像中の被写体の状態を詳細に確認することが可能になる。
【０１２６】
ライブビュー用の撮像制御を省略する場合には、記憶部５２の記憶容量を減らすことができ、デジタルカメラ１００の製造コストを下げることができる。
【０１２７】
また、デジタルカメラ１００によれば、受光面６０に設定されるフィールドの数“Ｎ”と、出力制御部１１Ｂによって設定されるグループの数“Ｍ”を同じ値にすることで、１垂直同期期間において、第一の出力端子ＣＨ０から出力される撮像信号数と、第二の出力端子ＣＨ１から出力される撮像信号数とを同じにすることができる。
【０１２８】
この構成によれば、撮像素子５からデータバス２５への撮像信号の転送レートを共通化でき、駆動及び信号処理を簡略化することができる。
【０１２９】
図８は、図１に示したデジタルカメラ１００のシステム制御部１１の機能ブロックの変形例を示す図である。
【０１３０】
図８に示すシステム制御部１１は、注目領域決定部１１Ｃ及び優先度設定部１１Ｄが追加された点を除いては、図６と同じ構成である。
【０１３１】
注目領域決定部１１Ｃは、第一の出力制御によって第一の出力端子ＣＨ０から出力されるフィールドデータに基づいて、撮像中の被写体の注目領域を決定する。
【０１３２】
注目領域決定部１１Ｃは、例えば、フィールドデータから公知の顔検出技術を用いて、顔領域を検出する処理を行い、検出した顔領域を注目領域（ＲＯＩ：Ｒｅｇｉｏｎ  ｏｆ  Ｉｎｔｅｒｅｓｔ）として決定する。
【０１３３】
優先度設定部１１Ｄは、静止画記憶用の撮像制御によって記憶部５２に記憶された撮像画像信号をＭ個のグループに分ける場合の各グループに優先度を設定する。
【０１３４】
具体的には、優先度設定部１１Ｄは、Ｍ個のグループのうち、注目領域決定部１１Ｃが決定した注目領域に対応する分割エリアの画素６１から読み出された撮像信号を含むグループには、優先閾値以上の優先度を設定し、その他のグループには優先閾値未満の優先度を設定する。
【０１３５】
フィールドデータに基づく画像と受光面６０とは対応しており、この画像における注目領域の位置が分かれば、この注目領域に対応する受光面６０上の位置も分かる。
【０１３６】
例えば、受光面６０において、注目領域と対応する領域ＲＯＩが図９に示すような位置にある場合には、４つの分割エリアのうち真ん中の２つの分割エリアが注目領域に対応する分割エリアとなる。
【０１３７】
図１０は、図１に示すデジタルカメラ１００の連写モード時の変形例の動作を説明するためのフローチャートである。図１１は、図１に示すデジタルカメラ１００の連写モード時の変形例の動作を模式的に示すタイミングチャートである。図１１において図７と同じ構成には同一符号を付して説明を省略する。
【０１３８】
連写モードに設定され、撮像指示が行われると、システム制御部１１は、静止画記憶用の撮像制御を行う。この撮像制御によって画素６１から読み出された撮像信号の記憶部５２への記憶が開始して少し経過すると、システム制御部１１は、静止画記憶用の撮像制御によって記憶部５２に記憶されたフィールドＦ１にある画素６１から読みだされた撮像信号を第一の出力端子ＣＨ０からデータバス２５に出力させる（図１１の直線Ｐｆ１）。
【０１３９】
システム制御部１１は、図１１の直線Ｐｆ１でフィールドデータの出力が完了すると、このフィールドデータから公知の顔検出技術に基づいて顔検出を行う（ステップＳ１）。
【０１４０】
次に、システム制御部１１は、ステップＳ１の顔検出結果から、顔を含む領域を被写体の注目領域に設定し、注目領域に対応する分割エリアを決定する（ステップＳ２）。
【０１４１】
次に、システム制御部１１は、静止画記憶用の撮像制御によって記憶部５２に記憶された撮像画像信号を４個のグループに分け、ステップＳ２で決定した分割エリアにある画素６１から読み出された撮像信号を含むグループには優先閾値以上の優先度を設定し、その他のグループには優先閾値未満の優先度を設定する（ステップＳ３）。
【０１４２】
図１１の例では、グループＢとグループＣの優先度が優先閾値以上に設定され、グループＡとグループＤの優先度が優先閾値未満に設定される。
【０１４３】
ステップＳ３の後、システム制御部１１は、ステップＳ３で設定した優先度にしたがって第二の出力制御を開始する（ステップＳ４）。
【０１４４】
具体的には、図１１に示すように、システム制御部１１は、静止画記憶用の撮像制御によって記憶部５２に記憶された撮像画像信号のうち、グループＢの撮像信号を第二の出力端子ＣＨ１からデータバス２５に出力させる（直線ＧＢ）。デジタル信号処理部１７は、直線ＧＢで出力された撮像信号に基づいて分割画像データｇｂを生成する。
【０１４５】
直線ＧＢによる第二の出力端子ＣＨ１からの撮像信号の出力が完了すると、システム制御部１１は、静止画記憶用の撮像制御によって記憶部５２に記憶された撮像画像信号のうち、グループＣの撮像信号を第二の出力端子ＣＨ１からデータバス２５に出力させる（直線ＧＣ）。
【０１４６】
デジタル信号処理部１７は、直線ＧＣでデータバス２５に出力された撮像信号を処理して分割画像データｇｃを生成する。
【０１４７】
デジタル信号処理部１７は、分割画像データｇｂと分割画像データｇｃを生成すると、これらに含まれる顔領域の解析を行う。ここでの解析結果は、例えば、撮像画像データの加工（例えば顔を明るくする補正等）又は撮像画像データの分類（顔から判別される人物による分類）等に用いられる。
【０１４８】
直線ＧＣによる第二の出力端子ＣＨ１からの撮像信号の出力が完了すると、システム制御部１１は、静止画記憶用の撮像制御によって記憶部５２に記憶された撮像画像信号のうち、グループＡの撮像信号を第二の出力端子ＣＨ１からデータバス２５に出力させる（直線ＧＡ）。
【０１４９】
デジタル信号処理部１７は、直線ＧＡでデータバス２５に出力された撮像信号を処理して分割画像データｇａを生成する。
【０１５０】
直線ＧＡによる第二の出力端子ＣＨ１からの撮像信号の出力が完了すると、システム制御部１１は、静止画記憶用の撮像制御によって記憶部５２に記憶された撮像画像信号のうち、グループＤの撮像信号を第二の出力端子ＣＨ１からデータバス２５に出力させる（直線ＧＤ）。
【０１５１】
デジタル信号処理部１７は、直線ＧＤでデータバス２５に出力された撮像信号を処理して分割画像データｇｄを生成する。
【０１５２】
そして、デジタル信号処理部１７は、グループＡ〜Ｄの各々に対応する分割画像データｇａ〜ｇｄを合成して記憶用の撮像画像データを生成し、外部メモリ制御部２０を介して記憶媒体２１に記憶する。
【０１５３】
以上のように、図８に示すシステム制御部１１を有するデジタルカメラ１００によれば、第一の出力制御によって第一の出力端子ＣＨ０から出力されるフィールドデータに基づいて、静止画記憶用の撮像制御によって記憶部５２に記憶された撮像画像信号のうち、注目領域を含むグループを優先的に第二の出力端子ＣＨ１から出力させることができる。
【０１５４】
このため、注目領域の詳細な解析を早い段階で終了させることができ、解析結果を利用した後段での処理を効率的に行うことができる。
【０１５５】
以上では、注目領域決定部１１Ｃが、フィールドデータから顔領域を検出する処理を行い、顔領域を注目領域として決定したが、これに限らない。
【０１５６】
例えば、第一の出力制御と第三の出力制御によって第一の出力端子ＣＨ０から連続して出力される複数のフィールドデータに基づいて、撮像中の被写体に含まれる動体領域を検出する処理を行い、この動体領域を注目領域として決定するようにしてもよい。
【０１５７】
この構成によれば、動体を含むグループを第二の出力端子ＣＨ１から優先的に出力させることができるため、動体の詳細な解析を素早く開始することができ、解析結果を利用した後段での処理を効率的に行うことができる。
【０１５８】
優先度設定部１１Ｄは、Ｍ個のグループのうち、受光面６０に設定されている焦点を合わせる対象となる複数の合焦エリアのうちのユーザにより選択された合焦エリアと重なる分割エリアにある画素６１から読み出された撮像信号のグループには、優先閾値以上の優先度を設定するようにし、その他のグループには優先閾値未満の優先度を設定するようにしてもよい。
【０１５９】
このような構成により、合焦エリア内の被写体の詳細解析を素早く開始することができ、解析結果を利用した後段での処理を効率的に行うことができる。
【０１６０】
図１２は、図１に示したデジタルカメラ１００の変形例であるデジタルカメラ１００Ａの概略構成を示す図である。
【０１６１】
図１２に示したデジタルカメラ１００Ａは、温度センサ７０とバッテリ容量センサ７１が追加された点を除いては、図１に示すデジタルカメラ１００と同じ構成である。
【０１６２】
温度センサ７０は、デジタルカメラ１００Ａ内部の温度を検出する。検出された温度情報は、システム制御部１１に入力される。
【０１６３】
バッテリ容量センサ７１は、デジタルカメラ１００Ａに搭載されるバッテリの容量を検出する。検出されたバッテリ情報はシステム制御部１１に入力される。
【０１６４】
システム制御部１１の撮像制御部１１Ａは、温度センサ７０から取得した温度情報に基づくデジタルカメラ１００Ａ内部の温度が温度閾値以上となっている場合、又は、バッテリ容量センサ７１から取得したバッテリ情報に基づくバッテリ残容量が残量閾値以下になっている場合には、第二の出力端子ＣＨ１からデータバス２５に撮像信号を転送する際の転送モードをフィールド転送モードに設定する。
【０１６５】
撮像制御部１１Ａは、デジタルカメラ１００Ａ内部の温度が温度閾値未満となっている場合、又は、バッテリ残容量が残量閾値を超えている場合には、第二の出力端子ＣＨ１からデータバス２５に撮像信号を転送する際の転送モードをグループ転送モードに設定する。
【０１６６】
フィールド転送モードとは、第二の出力制御を停止し、静止画記憶用の撮像制御によって記憶部５２に記憶された撮像画像信号のうちの第一の出力制御によって第一の出力端子ＣＨ０から出力される撮像信号を除く撮像信号を第二の出力端子ＣＨ１からフィールド単位で出力させるモードである。
【０１６７】
グループ転送モードとは、上述してきた第二の出力制御を行って、静止画記憶用の撮像制御によって記憶部５２に記憶された撮像画像信号をグループ単位で第二の出力端子ＣＨ１から出力させるモードである。
【０１６８】
図１３は、図１２に示すデジタルカメラ１００Ａの転送モードの設定動作を説明するためのフローチャートである。
【０１６９】
システム制御部１１は、静止画記憶用の撮像制御を開始する直前に、温度センサ７０から取得した温度情報からデジタルカメラ１００Ａ内部の温度が温度閾値以上であるか否かを判定する（ステップＳ１１）。
【０１７０】
システム制御部１１は、温度が温度閾値未満であると判定した場合（ステップＳ１１：ＮＯ）には、バッテリ容量センサ７１から取得したバッテリ情報からバッテリ残容量が残量閾値以下であるか否かを判定する（ステップＳ１２）。
【０１７１】
システム制御部１１は、バッテリ残容量が残量閾値を超えると判定した場合（ステップＳ１２：ＮＯ）には、転送モードをグループ転送モードに設定する（ステップＳ１３）。グループ転送モード時の動作は、図７のタイミングチャートを用いて説明したので、ここでは省略する。
【０１７２】
システム制御部１１は、デジタルカメラ１００Ａ内部の温度が温度閾値以上であると判定した場合（ステップＳ１１：ＹＥＳ）、又は、バッテリ残容量が残量閾値以下であると判定した場合（ステップＳ１２：ＹＥＳ）には、転送モードをフィールド転送モードに設定する（ステップＳ１４）。
【０１７３】
図１４は、図１２に示すデジタルカメラ１００Ａの連写モードかつフィールド転送モードに設定された場合の動作を模式的に示すタイミングチャートである。
【０１７４】
図１４に示すタイミングチャートは、“撮像素子出力  ＣＨ１”と“記憶画像処理”の状態が異なる点を除いては図７に示すタイミングチャートと同じである。
【０１７５】
撮像指示が行われると、システム制御部１１は、静止画記憶用の撮像制御を行う。この撮像制御によって画素６１から読み出された撮像信号の記憶部５２への記憶が開始して少し経過すると、システム制御部１１は、静止画記憶用の撮像制御によって記憶部５２に記憶されたフィールドＦ１にある画素６１から読みだされた撮像信号を第一の出力端子ＣＨ０からデータバス２５に出力させる第一の出力制御を行う（図１４の直線Ｐｆ１）。
【０１７６】
直線Ｐｆ１によるフィールドデータの出力が開始されてから少し経過すると、システム制御部１１は、静止画記憶用の撮像制御によって記憶部５２に記憶されたフィールドＦ２にある画素６１から読みだされた撮像信号を第二の出力端子ＣＨ１からデータバス２５に出力させる（図１４の直線Ｐｆ２）。
【０１７７】
直線Ｐｆ２による撮像信号の出力が終了すると、システム制御部１１は、静止画記憶用の撮像制御によって記憶部５２に記憶されたフィールドＦ３にある画素６１から読みだされた撮像信号を第二の出力端子ＣＨ１からデータバス２５に出力させる（図１４の直線Ｐｆ３）。
【０１７８】
直線Ｐｆ３による撮像信号の出力が終了すると、システム制御部１１は、静止画記憶用の撮像制御によって記憶部５２に記憶されたフィールドＦ４にある画素６１から読みだされた撮像信号を第二の出力端子ＣＨ１からデータバス２５に出力させる（図１４の直線Ｐｆ４）。
【０１７９】
そして、デジタル信号処理部１７は、直線Ｐｆ１、直線Ｐｆ２、直線Ｐｆ３、及び、直線Ｐｆ４の各々で出力された撮像信号を処理して記憶用の撮像画像データを生成し、外部メモリ制御部２０を介して記憶媒体２１に記憶する。
【０１８０】
以上のように、デジタルカメラ１００Ａによれば、連写モード時に、内部の温度とバッテリ残量に基づいて、図７に示す動作と図１４に示す動作とを切り替えることができる。
【０１８１】
図１４に示す動作では、図７に示す動作と比較して、撮像素子５から出力される撮像信号数を減らすことができる。このため、撮像素子５からの信号転送に要する消費電力を削減することができ、発熱抑制又は稼働時間の延長が可能となる。
【０１８２】
なお、システム制御部１１は、フィールド転送モードにおいて、第二の出力端子ＣＨ１からの撮像信号の出力速度を、第一の出力制御による第一の出力端子ＣＨ０からの撮像信号の出力速度よりも低速にすることが好ましい。
【０１８３】
この構成によれば、第二の出力端子ＣＨ１からの撮像信号の出力速度が低速になることで、撮像信号の転送に要する消費電力を更に低減することができる。
【０１８４】
デジタルカメラ１００Ａでは、システム制御部１１が、内部の温度とバッテリ残量に基づいて、グループ転送モードとフィールド転送モードを切り替えるものとしたが、内部の温度とバッテリ残量によらずに転送モードはグループ転送モードに固定とし、内部の温度とバッテリ残量に基づいて、第二の出力制御を行うときの第二の出力端子ＣＨ１からの撮像信号の出力速度を変更してもよい。
【０１８５】
図１５は、図１２に示すデジタルカメラ１００Ａの動作の変形例を説明するためのフローチャートである。図１５において図１３に示した処理と同じものには同一符号を付して説明を省略する。
【０１８６】
システム制御部１１は、バッテリ残容量が残量閾値を超えると判定した場合（ステップＳ１２：ＮＯ）には、第二の出力制御を行うときの第二の出力端子ＣＨ１からの撮像信号の出力速度を第一の値（高速）に設定する（ステップＳ２１）。
【０１８７】
システム制御部１１は、デジタルカメラ１００Ａ内部の温度が温度閾値以上であると判定した場合（ステップＳ１１：ＮＯ）、又は、バッテリ残容量が残量閾値以下であると判定した場合（ステップＳ１２：ＮＯ）には、第二の出力制御を行うときの第二の出力端子ＣＨ１からの撮像信号の出力速度を第一の値よりも小さい第二の値（低速）に設定する（ステップＳ２２）。
【０１８８】
以上のように、図１５に示す動作によれば、デジタルカメラ１００Ａ内部の温度が高い場合、又は、バッテリ残容量が少ない場合には、第二の出力端子ＣＨ１からの撮像信号の出力速度が低速になるため、発熱と消費電力を低減することができる。
【０１８９】
なお、図１３及び図１５のフローチャートにおいて、ステップＳ１１とステップＳ１２のいずれかを省略してもよい。この場合でも、発熱と消費電力を低減する効果を得ることができる。
【０１９０】
ここまでは、システム制御部１１が、記憶部５２に記憶される撮像画像信号を行方向Ｘに分割してグループ分けするものとしたが、撮像画像信号の分割方法はこれに限られるものではない。
【０１９１】
図１６及び図１７は、センサ部５１の受光面６０を複数に分割する例を示す模式図である。
【０１９２】
図１６は、センサ部５１の受光面６０を列方向Ｙに均等に４つに分割した場合の構成を示している。
【０１９３】
図１６の分割例では、例えば、上端から数えて１番目にある分割エリアにある画素６１から読み出される撮像信号からなるグループが上記のグループＡとされ、上端から数えて２番目にある分割エリアにある画素６１から読み出される撮像信号からなるグループが上記のグループＢとされる。
【０１９４】
また、上端から数えて３番目にある分割エリアにある画素６１から読み出される撮像信号からなるグループが上記のグループＣとされ、上端から数えて４番目にある分割エリアにある画素６１から読み出される撮像信号からなるグループが上記のグループＤとされる。
【０１９５】
図１７は、センサ部５１の受光面６０を行方向Ｘに均等に２分割し、更に、列方向Ｙに均等に２分割した場合の構成を示している。
【０１９６】
図１７の分割例では、例えば、左上の分割エリアにある画素６１から読み出される撮像信号からなるグループが上記のグループＡとされ、右上にある分割エリアにある画素６１から読み出される撮像信号からなるグループが上記のグループＢとされる。
【０１９７】
また、左下の分割エリアにある画素６１から読み出される撮像信号からなるグループが上記のグループＣとされ、右下の分割エリアにある画素６１から読み出される撮像信号からなるグループが上記のグループＤとされる。
【０１９８】
図１７に示す分割例と図５に示す分割例によれば、各グループの行方向Ｘの幅を小さくすることができる。このため、デジタル信号処理部１７が画像データの生成に用いるラインメモリ容量を減らすことができ、デジタルカメラの製造コストを下げることができる。
【０１９９】
ここまでは撮像装置としてデジタルカメラを例にしたが、以下では、撮像装置としてカメラ付のスマートフォンの実施形態について説明する。
【０２００】
図１８は、本発明の撮影装置の一実施形態であるスマートフォン２００の外観を示すものである。
【０２０１】
図１８に示すスマートフォン２００は、平板状の筐体２０１を有し、筐体２０１の一方の面に表示部としての表示パネル２０２と、入力部としての操作パネル２０３とが一体となった表示入力部２０４を備えている。
【０２０２】
また、この様な筐体２０１は、スピーカ２０５と、マイクロホン２０６と、操作部２０７と、カメラ部２０８とを備えている。
【０２０３】
なお、筐体２０１の構成はこれに限定されず、例えば、表示部と入力部とが独立した構成を採用したり、折り畳み構造又はスライド機構を有する構成を採用したりすることもできる。
【０２０４】
図１９は、図１８に示すスマートフォン２００の構成を示すブロック図である。
【０２０５】
図１９に示すように、スマートフォンの主たる構成要素として、無線通信部２１０と、表示入力部２０４と、通話部２１１と、操作部２０７と、カメラ部２０８と、記憶部２１２と、外部入出力部２１３と、ＧＰＳ（Ｇｌｏｂａｌ  Ｐｏｓｉｔｉｏｎｉｎｇ  Ｓｙｓｔｅｍ）受信部２１４と、モーションセンサ部２１５と、電源部２１６と、主制御部２２０とを備える。
【０２０６】
また、スマートフォン２００の主たる機能として、図示省略の基地局装置ＢＳと図示省略の移動通信網ＮＷとを介した移動無線通信を行う無線通信機能を備える。
【０２０７】
無線通信部２１０は、主制御部２２０の指示にしたがって、移動通信網ＮＷに収容された基地局装置ＢＳに対し無線通信を行うものである。この無線通信を使用して、音声データ、画像データ等の各種ファイルデータ、電子メールデータ等の送受信、又は、Ｗｅｂデータ又はストリーミングデータ等の受信を行う。
【０２０８】
表示入力部２０４は、主制御部２２０の制御により、画像（静止画像および動画像）又は文字情報等を表示して視覚的にユーザに情報を伝達するとともに、表示した情報に対するユーザ操作を検出する、いわゆるタッチパネルであって、表示パネル２０２と、操作パネル２０３とを備える。
【０２０９】
表示パネル２０２は、ＬＣＤ（Ｌｉｑｕｉｄ  Ｃｒｙｓｔａｌ  Ｄｉｓｐｌａｙ）、ＯＥＬＤ（Ｏｒｇａｎｉｃ  Ｅｌｅｃｔｒｏ−Ｌｕｍｉｎｅｓｃｅｎｃｅ  Ｄｉｓｐｌａｙ）等を表示デバイスとして用いたものである。
【０２１０】
操作パネル２０３は、表示パネル２０２の表示面上に表示される画像を視認可能に載置され、ユーザの指又は尖筆によって操作される一又は複数の座標を検出するデバイスである。このデバイスをユーザの指又は尖筆によって操作すると、操作に起因して発生する検出信号を主制御部２２０に出力する。次いで、主制御部２２０は、受信した検出信号に基づいて、表示パネル２０２上の操作位置（座標）を検出する。
【０２１１】
図１８に示すように、本発明の撮影装置の一実施形態として例示しているスマートフォン２００の表示パネル２０２と操作パネル２０３とは一体となって表示入力部２０４を構成しているが、操作パネル２０３が表示パネル２０２を完全に覆うような配置となっている。
【０２１２】
係る配置を採用した場合、操作パネル２０３は、表示パネル２０２外の領域についても、ユーザ操作を検出する機能を備えてもよい。換言すると、操作パネル２０３は、表示パネル２０２に重なる重畳部分についての検出領域（以下、表示領域と称する）と、それ以外の表示パネル２０２に重ならない外縁部分についての検出領域（以下、非表示領域と称する）とを備えていてもよい。
【０２１３】
なお、表示領域の大きさと表示パネル２０２の大きさとを完全に一致させても良いが、両者を必ずしも一致させる必要は無い。また、操作パネル２０３が、外縁部分と、それ以外の内側部分の２つの感応領域を備えていてもよい。更に、外縁部分の幅は、筐体２０１の大きさ等に応じて適宜設計されるものである。
【０２１４】
更にまた、操作パネル２０３で採用される位置検出方式としては、マトリクススイッチ方式、抵抗膜方式、表面弾性波方式、赤外線方式、電磁誘導方式、又は、静電容量方式等が挙げられ、いずれの方式を採用することもできる。
【０２１５】
通話部２１１は、スピーカ２０５又はマイクロホン２０６を備え、マイクロホン２０６を通じて入力されたユーザの音声を主制御部２２０にて処理可能な音声データに変換して主制御部２２０に出力したり、無線通信部２１０あるいは外部入出力部２１３により受信された音声データを復号してスピーカ２０５から出力させたりするものである。
【０２１６】
また、図１８に示すように、例えば、スピーカ２０５を表示入力部２０４が設けられた面と同じ面に搭載し、マイクロホン２０６を筐体２０１の側面に搭載することができる。
【０２１７】
操作部２０７は、キースイッチ等を用いたハードウェアキーであって、ユーザからの指示を受け付けるものである。例えば、図１８に示すように、操作部２０７は、スマートフォン２００の筐体２０１の側面に搭載され、指等で押下されるとオンとなり、指を離すとバネ等の復元力によってオフ状態となる押しボタン式のスイッチである。
【０２１８】
記憶部２１２は、主制御部２２０の制御プログラム又は制御データ、アプリケーションソフトウェア、通信相手の名称又は電話番号等を対応づけたアドレスデータ、送受信した電子メールのデータ、ＷｅｂブラウジングによりダウンロードしたＷｅｂデータ又は、ダウンロードしたコンテンツデータを記憶し、またストリーミングデータ等を一時的に記憶するものである。また、記憶部２１２は、スマートフォン内蔵の内部記憶部２１７と着脱自在な外部メモリスロットを有する外部記憶部２１８により構成される。
【０２１９】
なお、記憶部２１２を構成するそれぞれの内部記憶部２１７と外部記憶部２１８は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＭｉｃｒｏＳＤ（登録商標）メモリ等）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等の格納媒体を用いて実現される。
【０２２０】
外部入出力部２１３は、スマートフォン２００に連結される全ての外部機器とのインタフェースの役割を果たすものであり、他の外部機器に通信等（例えば、ユニバーサルシリアルバス（ＵＳＢ）、ＩＥＥＥ１３９４等）又はネットワーク（例えば、インターネット、無線ＬＡＮ、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）（登録商標）、ＵＷＢ（Ｕｌｔｒａ  Ｗｉｄｅｂａｎｄ）（登録商標）、ジグビー（ＺｉｇＢｅｅ）（登録商標）等）により直接的又は間接的に接続するためのものである。
【０２２１】
スマートフォン２００に連結される外部機器としては、例えば、有／無線ヘッドセット、有／無線外部充電器、有／無線データポート、カードソケットを介して接続されるメモリカード（Ｍｅｍｏｒｙ  ｃａｒｄ）又はＳＩＭ（Ｓｕｂｓｃｒｉｂｅｒ  Ｉｄｅｎｔｉｔｙ  Ｍｏｄｕｌｅ  Ｃａｒｄ）／ＵＩＭ（Ｕｓｅｒ  Ｉｄｅｎｔｉｔｙ  Ｍｏｄｕｌｅ
Ｃａｒｄ）カード、オーディオ・ビデオＩ／Ｏ（Ｉｎｐｕｔ／Ｏｕｔｐｕｔ）端子を介して接続される外部オーディオ・ビデオ機器、無線接続される外部オーディオ・ビデオ機器、有／無線接続されるスマートフォン、有／無線接続されるパーソナルコンピュータ、有／無線接続されるＰＤＡ、有／無線接続されるパーソナルコンピュータ、イヤホン等がある。
【０２２２】
外部入出力部２１３は、このような外部機器から伝送を受けたデータをスマートフォン２００の内部の各構成要素に伝達したり、スマートフォン２００の内部のデータを外部機器に伝送したりする。
【０２２３】
ＧＰＳ受信部２１４は、主制御部２２０の指示にしたがって、ＧＰＳ衛星ＳＴ１〜ＳＴｎから送信されるＧＰＳ信号を受信し、受信した複数のＧＰＳ信号に基づく測位演算処理を実行し、スマートフォン２００の緯度、経度、高度からなる位置を検出する。
【０２２４】
ＧＰＳ受信部２１４は、無線通信部２１０又は外部入出力部２１３（例えば、無線ＬＡＮ）から位置情報を取得できる時には、その位置情報を用いて位置を検出することもできる。
【０２２５】
モーションセンサ部２１５は、例えば、３軸の加速度センサ等を備え、主制御部２２０の指示にしたがって、スマートフォン２００の物理的な動きを検出する。スマートフォン２００の物理的な動きを検出することにより、スマートフォン２００の動く方向又は加速度が検出される。係る検出結果は、主制御部２２０に出力されるものである。
【０２２６】
電源部２１６は、主制御部２２０の指示にしたがって、スマートフォン２００の各部に、バッテリ（図示しない）に蓄えられる電力を供給するものである。
【０２２７】
主制御部２２０は、マイクロプロセッサを備え、記憶部２１２が記憶する制御プログラム又は制御データにしたがって動作し、スマートフォン２００の各部を統括して制御するものである。
【０２２８】
また、主制御部２２０は、無線通信部２１０を通じて、音声通信又はデータ通信を行うために、通信系の各部を制御する移動通信制御機能と、アプリケーション処理機能を備える。
【０２２９】
アプリケーション処理機能は、記憶部２１２が記憶するアプリケーションソフトウェアにしたがって主制御部２２０が動作することにより実現するものである。
【０２３０】
アプリケーション処理機能としては、例えば、外部入出力部２１３を制御して対向機器とデータ通信を行う赤外線通信機能、電子メールの送受信を行う電子メール機能、又は、ウェブページを閲覧するウェブブラウジング機能等がある。
【０２３１】
また、主制御部２２０は、受信データ又はダウンロードしたストリーミングデータ等の画像データ（静止画像又は動画像のデータ）に基づいて、映像を表示入力部２０４に表示する等の画像処理機能を備える。
【０２３２】
画像処理機能とは、主制御部２２０が、上記画像データを復号し、この復号結果に画像処理を施して、画像を表示入力部２０４に表示する機能のことをいう。
【０２３３】
更に、主制御部２２０は、表示パネル２０２に対する表示制御と、操作部２０７、操作パネル２０３を通じたユーザ操作を検出する操作検出制御を実行する。表示制御の実行により、主制御部２２０は、アプリケーションソフトウェアを起動するためのアイコン又はスクロールバー等のソフトウェアキーを表示したり、あるいは電子メールを作成したりするためのウィンドウを表示する。
【０２３４】
なお、スクロールバーとは、表示パネル２０２の表示領域に収まりきれない大きな画像等について、画像の表示部分を移動する指示を受け付けるためのソフトウェアキーのことをいう。
【０２３５】
また、操作検出制御の実行により、主制御部２２０は、操作部２０７を通じたユーザ操作を検出したり、操作パネル２０３を通じて、上記アイコンに対する操作又は、上記ウィンドウの入力欄に対する文字列の入力を受け付けたり、あるいは、スクロールバーを通じた表示画像のスクロール要求を受け付ける。
【０２３６】
更に、操作検出制御の実行により主制御部２２０は、操作パネル２０３に対する操作位置が、表示パネル２０２に重なる重畳部分（表示領域）か、それ以外の表示パネル２０２に重ならない外縁部分（非表示領域）かを判定し、操作パネル２０３の感応領域又はソフトウェアキーの表示位置を制御するタッチパネル制御機能を備える。
【０２３７】
また、主制御部２２０は、操作パネル２０３に対するジェスチャ操作を検出し、検出したジェスチャ操作に応じて、予め設定された機能を実行することもできる。ジェスチャ操作とは、従来の単純なタッチ操作ではなく、指等によって軌跡を描いたり、複数の位置を同時に指定したり、あるいはこれらを組み合わせて、複数の位置から少なくとも１つについて軌跡を描く操作を意味する。
【０２３８】
カメラ部２０８は、図１及び図１２に示したデジタルカメラにおける外部メモリ制御部２０、記憶媒体２１、及び、操作部１４以外の構成を含む。カメラ部２０８の表示ドライバ２２は、表示部２３の代わりに表示パネル２０２を駆動する。
【０２３９】
カメラ部２０８によって生成された撮像画像データは、記憶部２１２に記憶したり、外部入出力部２１３又は無線通信部２１０を通じて出力したりすることができる。
【０２４０】
図１８に示すスマートフォン２００において、カメラ部２０８は表示入力部２０４と同じ面に搭載されているが、カメラ部２０８の搭載位置はこれに限らず、表示入力部２０４の背面に搭載されてもよい。
【０２４１】
また、カメラ部２０８はスマートフォン２００の各種機能に利用することができる。例えば、表示パネル２０２にカメラ部２０８で取得した画像を表示することができる。操作パネル２０３の操作入力のひとつとして、カメラ部２０８の画像を利用することができる。
【０２４２】
また、ＧＰＳ受信部２１４が位置を検出する際に、カメラ部２０８からの画像を参照して位置を検出することもできる。更には、カメラ部２０８からの画像を参照して、３軸の加速度センサを用いずに、或いは、３軸の加速度センサと併用して、スマートフォン２００のカメラ部２０８の光軸方向を判断したり現在の使用環境を判断したりすることもできる。勿論、カメラ部２０８からの画像をアプリケーションソフトウェア内で利用することもできる。
【０２４３】
その他、静止画又は動画の画像データにＧＰＳ受信部２１４により取得した位置情報、マイクロホン２０６により取得した音声情報（主制御部等により、音声テキスト変換を行ってテキスト情報となっていてもよい）、モーションセンサ部２１５により取得した姿勢情報等を付加して記憶部２１２に記憶したり、外部入出力部２１３又は無線通信部２１０を通じて出力したりすることもできる。
【０２４４】
以上の説明では撮像素子５がＭＯＳ型としたが、撮像素子５はＣＣＤ型であっても同様の効果を得ることができる。
【０２４５】
以上のように、本明細書には以下の事項が開示されている。
【０２４６】
（１）  行方向に配列された複数の画素からなる複数の画素行が上記行方向と直交する列方向に配列された受光面を含むセンサ部と、上記複数の画素行に含まれる全ての上記画素から読み出される撮像信号が記憶される記憶部と、上記記憶部に記憶された撮像信号を出力する第一の出力端子と、上記記憶部に記憶された撮像信号を出力する第二の出力端子と、を有する撮像素子と、複数の上記画素を露光し、その画素から撮像信号を読み出して上記記憶部に記憶する第一の撮像制御を行う撮像制御部と、上記第一の撮像制御によって上記記憶部に記憶された上記複数の上記画素から読み出された上記撮像信号で構成される撮像画像信号のうち、Ｎを２以上の自然数として上記複数の画素行を上記列方向にＮ個に１つずつ選択した場合の上記選択された上記画素行に含まれる上記画素から読み出された撮像信号を上記第一の出力端子から出力させる第一の出力制御と、上記撮像画像信号を、上記受光面を上記行方向又は上記列方向の少なくとも一方に分割した場合の各分割エリアにある上記画素から読み出された撮像信号からなるＭを２以上とするＭ個のグループに分け、上記Ｍ個のグループを順次選択して、選択した上記グループの上記撮像信号を上記第二の出力端子から出力させる第二の出力制御とを行う出力制御部と、上記第一の出力端子から出力される上記撮像信号を処理して表示用の撮像画像データを生成する第一の画像処理部と、上記第二の出力端子から出力される上記グループの上記撮像信号を処理してそのグループに対応する分割画像データを順次生成し、上記Ｍ個のグループの各々に対応する上記分割画像データを合成して記憶用の撮像画像データを生成する第二の画像処理部と、を備える撮像装置。
【０２４７】
（２）  （１）記載の撮像装置であって、上記Ｍ個のグループの各々に優先度を設定する優先度設定部を更に備え、上記出力制御部は、上記優先度が優先閾値以上となる上記グループを、上記優先度が上記優先閾値未満となる上記グループよりも先に上記第二の出力端子から出力させる撮像装置。
【０２４８】
（３）  （２）記載の撮像装置であって、上記第一の出力端子から出力される上記撮像信号に基づいて、撮像中の被写体の注目領域を決定する注目領域決定部を更に備え、上記優先度設定部は、上記Ｍ個のグループのうち、上記注目領域に対応する上記分割エリアの上記画素から読み出された上記グループには上記優先閾値以上の上記優先度を設定し、その他の上記グループには上記優先閾値未満の上記優先度を設定する撮像装置。
【０２４９】
（４）  （３）記載の撮像装置であって、上記注目領域決定部は、上記第一の出力端子から出力される上記撮像信号から顔領域を検出する処理を行い、上記顔領域を上記注目領域として決定する撮像装置。
【０２５０】
（５）  （３）記載の撮像装置であって、上記撮像制御部は、上記第一の撮像制御の後に、複数の上記画素を露光し、その画素から撮像信号を読み出して上記記憶部に記憶する第二の撮像制御を少なくとも１回行い、上記出力制御部は、上記第一の出力制御による上記撮像信号の出力が完了した後は、上記第二の撮像制御によって上記記憶部に記憶される上記撮像信号を上記第一の出力端子から出力させる第三の出力制御を更に行い、上記注目領域決定部は、上記第一の出力端子から連続して出力される複数の上記撮像信号に基づいて、上記被写体に含まれる動体領域を検出する処理を行い、上記動体領域を上記注目領域として決定する撮像装置。
【０２５１】
（６）  （２）記載の撮像装置であって、上記優先度設定部は、上記Ｍ個のグループのうち、上記受光面上に設定されている焦点を合わせる対象となる複数の合焦エリアのうちの選択された合焦エリアと重なる上記分割エリアの上記画素から読み出された上記グループには上記優先閾値以上の上記優先度を設定し、その他の上記グループには上記優先閾値未満の上記優先度を設定する撮像装置。
【０２５２】
（７）  （１）〜（６）のいずれか１つに記載の撮像装置であって、上記Ｎと上記Ｍが同じ値である撮像装置。
【０２５３】
（８）  （１）〜（７）のいずれか１つに記載の撮像装置であって、上記出力制御部は、上記撮像装置の内部温度が温度閾値以上になっている場合、又は、上記撮像装置のバッテリ残量が残量閾値以下になっている場合には、上記第二の出力制御を停止し、上記撮像画像信号のうちの上記第一の出力制御によって上記第一の出力端子から出力される撮像信号を除く撮像信号を、上記第二の出力端子から出力させる撮像装置。
【０２５４】
（９）  （８）記載の撮像装置であって、上記出力制御部は、上記第二の出力制御を停止した場合に、上記第一の出力制御によって上記第一の出力端子から出力される撮像信号を除く上記撮像信号を複数回に分けて上記第二の出力端子から出力させ、上記第二の出力端子からのその撮像信号の出力速度を、上記第一の出力制御による上記第一の出力端子からの撮像信号の出力速度よりも低速にする撮像装置。
【０２５５】
（１０）  （１）〜（７）のいずれか１つに記載の撮像装置であって、上記出力制御部は、上記撮像装置の内部温度が温度閾値以上である場合又は上記撮像装置のバッテリ残量が残量閾値以下である場合には、上記第二の出力制御で上記第二の出力端子から出力させる上記グループの出力速度を、上記内部温度が上記温度閾値未満である場合又は上記バッテリ残量が上記残量閾値を超える場合よりも低速にする撮像装置。
【０２５６】
（１１）  （１）〜（１０）のいずれか１つに記載の撮像装置であって、上記選択された上記画素行には、位相差検出用画素が含まれている撮像装置。
【０２５７】
（１２）  （１）〜（１１）のいずれか１つに記載の撮像装置であって、上記分割エリアは、上記受光面を上記行方向に分割した場合のものである撮像装置。
【０２５８】
（１３）  （１）〜（１１）のいずれか１つに記載の撮像装置であって、上記分割エリアは、上記受光面を上記列方向に分割した場合のものである撮像装置。
【０２５９】
（１４）  行方向に配列された複数の画素からなる複数の画素行が上記行方向と直交する列方向に配列された受光面を含むセンサ部と、上記複数の画素行に含まれる全ての上記画素から読み出される撮像信号が記憶される記憶部と、上記記憶部に記憶された撮像信号を出力する第一の出力端子と、上記記憶部に記憶された撮像信号を出力する第二の出力端子と、を有する撮像素子を用いて被写体を撮像する撮像方法であって、複数の上記画素を露光し、その画素から撮像信号を読み出して上記記憶部に記憶する第一の撮像制御を行う撮像制御ステップと、上記第一の撮像制御によって上記記憶部に記憶された上記複数の上記画素から読み出された上記撮像信号で構成される撮像画像信号のうち、Ｎを２以上の自然数として上記複数の画素行を上記列方向にＮ個に１つずつ選択した場合の上記選択された上記画素行に含まれる上記画素から読み出された撮像信号を上記第一の出力端子から出力させる第一の出力制御と、上記撮像画像信号を、上記受光面を上記行方向又は上記列方向の少なくとも一方に分割した場合の各分割エリアにある上記画素から読み出された撮像信号からなるＭを２以上とするＭ個のグループに分け、上記Ｍ個のグループを順次選択して、選択した上記グループの上記撮像信号を上記第二の出力端子から出力させる第二の出力制御とを行う出力制御ステップと、上記第一の出力端子から出力される上記撮像信号を処理して表示用の撮像画像データを生成する第一の画像処理ステップと、上記第二の出力端子から出力される上記グループの上記撮像信号を順次処理してそのグループに対応する分割画像データを生成し、上記Ｍ個のグループの各々に対応する上記分割画像データを合成して記憶用の撮像画像データを生成する第二の画像処理ステップと、を備える撮像方法。
【０２６０】
（１５）  （１４）記載の撮像方法であって、上記Ｍ個のグループの各々に優先度を設定する優先度設定ステップを更に備え、上記出力制御ステップは、上記優先度が優先閾値以上となる上記グループを、上記優先度が上記優先閾値未満となる上記グループよりも先に上記第二の出力端子から出力させる撮像方法。
【０２６１】
（１６）  （１５）記載の撮像方法であって、上記第一の出力端子から出力される上記撮像信号に基づいて、撮像中の被写体の注目領域を決定する注目領域決定ステップを更に備え、上記優先度設定ステップは、上記Ｍ個のグループのうち、上記注目領域に対応する上記分割エリアの上記画素から読み出された上記グループには上記優先閾値以上の上記優先度を設定し、その他の上記グループには上記優先閾値未満の上記優先度を設定する撮像方法。
【０２６２】
（１７）  （１６）記載の撮像方法であって、上記注目領域決定ステップは、上記第一の出力端子から出力される上記撮像信号から顔領域を検出する処理を行い、上記顔領域を上記注目領域として決定する撮像方法。
【０２６３】
（１８）  （１６）記載の撮像方法であって、上記撮像制御ステップは、上記第一の撮像制御の後に、複数の上記画素を露光し、その画素から撮像信号を読み出して上記記憶部に記憶する第二の撮像制御を少なくとも１回行い、上記出力制御ステップは、上記第一の出力制御による上記撮像信号の出力が完了した後は、上記第二の撮像制御によって上記記憶部に記憶される上記撮像信号を上記第一の出力端子から出力させる第三の出力制御を更に行い、上記注目領域決定ステップは、上記第一の出力端子から連続して出力される複数の上記撮像信号に基づいて、上記被写体に含まれる動体領域を検出する処理を行い、上記動体領域を上記注目領域として決定する撮像方法。
【０２６４】
（１９）  （１５）記載の撮像方法であって、上記優先度設定ステップは、上記Ｍ個のグループのうち、上記受光面上に設定されている焦点を合わせる対象となる複数の合焦エリアのうちの選択された合焦エリアと重なる上記分割エリアの上記画素から読み出された上記グループには上記優先閾値以上の上記優先度を設定し、その他の上記グループには上記優先閾値未満の上記優先度を設定する撮像方法。
【０２６５】
（２０）  （１４）〜（１９）のいずれか１つに記載の撮像方法であって、上記Ｎと上記Ｍが同じ値である撮像方法。
【０２６６】
（２１）  （１４）〜（２０）のいずれか１つに記載の撮像方法であって、上記出力制御ステップは、上記撮像素子を搭載する撮像装置の内部温度が温度閾値以上になっている場合、又は、上記撮像装置のバッテリ残量が残量閾値以下になっている場合には、上記第二の出力制御を停止し、上記撮像画像信号のうちの上記第一の出力制御によって上記第一の出力端子から出力される撮像信号を除く撮像信号を、上記第二の出力端子から出力させる撮像方法。
【０２６７】
（２２）  （２１）記載の撮像方法であって、上記出力制御ステップは、上記第二の出力制御を停止した場合に、上記第一の出力制御によって上記第一の出力端子から出力される撮像信号を除く上記撮像信号を複数回に分けて上記第二の出力端子から出力させ、上記第二の出力端子からのその撮像信号の出力速度を、上記第一の出力制御による上記第一の出力端子からの撮像信号の出力速度よりも低速にする撮像方法。
【０２６８】
（２３）  （１４）〜（２０）のいずれか１つに記載の撮像方法であって、上記出力制御ステップは、上記撮像素子を搭載する撮像装置の内部温度が温度閾値以上である場合又は上記撮像装置のバッテリ残量が残量閾値以下である場合には、上記第二の出力制御で上記第二の出力端子から出力させる上記グループの出力速度を、上記内部温度が上記温度閾値未満である場合又は上記バッテリ残量が上記残量閾値を超える場合よりも低速にする撮像方法。
【０２６９】
（２４）  （１４）〜（２３）のいずれか１つに記載の撮像方法であって、上記選択された上記画素行には、位相差検出用画素が含まれている撮像方法。
【０２７０】
（２５）  （１４）〜（２４）のいずれか１つに記載の撮像方法であって、上記分割エリアは、上記受光面を上記行方向に分割した場合のものである撮像方法。
【０２７１】
（２６）  （１４）〜（２４）のいずれか１つに記載の撮像方法であって、上記分割エリアは、上記受光面を上記列方向に分割した場合のものである撮像方法。
【０２７２】
（２７）  行方向に配列された複数の画素からなる複数の画素行が上記行方向と直交する列方向に配列された受光面を含むセンサ部と、上記複数の画素行に含まれる全ての上記画素から読み出される撮像信号が記憶される記憶部と、上記記憶部に記憶された撮像信号を出力する第一の出力端子と、上記記憶部に記憶された撮像信号を出力する第二の出力端子と、を有する撮像素子を用いて被写体を撮像する撮像プログラムであって、複数の上記画素を露光し、その画素から撮像信号を読み出して上記記憶部に記憶する第一の撮像制御を行う撮像制御ステップと、上記第一の撮像制御によって上記記憶部に記憶された上記複数の上記画素から読み出された上記撮像信号で構成される撮像画像信号のうち、Ｎを２以上の自然数として上記複数の画素行を上記列方向にＮ個に１つずつ選択した場合の上記選択された上記画素行に含まれる上記画素から読み出された撮像信号を上記第一の出力端子から出力させる第一の出力制御と、上記撮像画像信号を、上記受光面を上記行方向又は上記列方向の少なくとも一方に分割した場合の各分割エリアにある上記画素から読み出された撮像信号からなるＭを２以上とするＭ個のグループに分け、上記Ｍ個のグループを順次選択して、選択した上記グループの上記撮像信号を上記第二の出力端子から出力させる第二の出力制御とを行う出力制御ステップと、上記第一の出力端子から出力される上記撮像信号を処理して表示用の撮像画像データを生成する第一の画像処理ステップと、上記第二の出力端子から出力される上記グループの上記撮像信号を順次処理してそのグループに対応する分割画像データを生成し、上記Ｍ個のグループの各々に対応する上記分割画像データを合成して記憶用の撮像画像データを生成する第二の画像処理ステップと、をコンピュータに実行させるための撮像プログラム。
【産業上の利用可能性】
【０２７３】
本発明によれば、記憶用の撮像が行われてから記憶用の撮像画像データの生成が完了するまでの時間を短縮し、かつ、この記憶用の撮像画像データの確認を撮像後に素早く行うことができる。【０２７４】
以上、本発明を特定の実施形態によって説明したが、本発明はこの実施形態に限定されるものではなく、開示された発明の技術思想を逸脱しない範囲で種々の変更が可能である。
本出願は、２０１６年１１月１４日出願の日本特許出願（特願２０１６−２２１７６２）に基づくものであり、その内容はここに取り込まれる。
【符号の説明】
【０２７５】
１００、１００Ａ  デジタルカメラ
１  撮像レンズ
２  絞り
４  レンズ制御部
５  撮像素子
８  レンズ駆動部
９  絞り駆動部
１０  センサ駆動部
１１  システム制御部
１１Ａ  撮像制御部
１１Ｂ  出力制御部
１１Ｃ  注目領域決定部
１１Ｄ  優先度設定部
１４  操作部
１７  デジタル信号処理部
１７Ａ  第一の画像処理部
１７Ｂ  第二の画像処理部
２０  外部メモリ制御部
２１  記憶媒体
２２  表示ドライバ
２３  表示部
２４  制御バス
２５  データバス
４０  レンズ装置
５１  センサ部
５２  記憶部
６０  受光面
６１  画素
６２  画素行
６３  駆動回路
６４  信号処理回路
７０  温度センサ
７１  バッテリ容量センサ
Ｘ  行方向
Ｙ  列方向
Ｆ１〜Ｆ４  フィールド
Ｐ  静止画記憶用の撮像制御が行われる期間
Ｌ  ライブビュー用の撮像制御が行われる期間
ＲＳ  リセットタイミングを示す直線
ＲＯ  撮像信号の読み出しタイミングを示す直線
Ｐｆ１〜Ｐｆ４、Ｌｆ１  第一の出力端子ＣＨ０からの信号出力タイミングを示す直線
ＧＡ、ＧＢ、ＧＣ、ＧＤ  第二の出力端子ＣＨ１からの信号出力タイミングを示す直線
２００  スマートフォン
２０１  筐体
２０２  表示パネル
２０３  操作パネル
２０４  表示入力部
２０５  スピーカ
２０６  マイクロホン
２０７  操作部
２０８  カメラ部
２１０  無線通信部
２１１  通話部
２１２  記憶部
２１３  外部入出力部
２１４  ＧＰＳ受信部
２１５  モーションセンサ部
２１６  電源部
２１７  内部記憶部
２１８  外部記憶部
２２０  主制御部
ＳＴ１〜ＳＴｎ  ＧＰＳ衛星
【図１】
0006569015.tif 000002
【図２】
0006569015.tif 000003
【図３】
0006569015.tif 000004
【図４】
0006569015.tif 000005
【図５】
0006569015.tif 000006
【図６】
0006569015.tif 000007
【図７】
0006569015.tif 000008
【図８】
0006569015.tif 000009
【図９】
0006569015.tif 000010
【図１０】
0006569015.tif 000011
【図１１】
0006569015.tif 000012
【図１２】
0006569015.tif 000013
【図１３】
0006569015.tif 000014
【図１４】
0006569015.tif 000015
【図１５】
0006569015.tif 000016
【図１６】
0006569015.tif 000017
【図１７】
0006569015.tif 000018
【図１８】
0006569015.tif 000019
【図１９】
0006569015.tif 000020